(57)【特許請求の範囲】
【請求項１】
ベースと、
各々がＵＶＣ光を適切な強度で発して、前記ＵＶＣ光が当てられた目標物体を少なくとも部分的に除染することにより前記目標物体の病原菌を減少させる複数の光源と、
前記複数の光源を前記ベースに連結する複数の調節可能な支持体と、
前記ベースに連結され、前記光源に動作可能に接続されて前記ＵＶＣ光の放出を制御するコントローラと、
前記ベースに着脱可能に設置され、前記ベースに設置されているときに前記複数の光源を保護するハウジングと、
前記ハウジングに設けられている遠隔制御装置と、を含む除染装置であって、
前記複数の光源のそれぞれが、前記複数の調節可能な支持体のそれぞれの遠位端に旋回可能に連結されており、
前記複数の光源が前記ＵＶＣ光を異なる複数の向きへ照射するように前記複数の光源の位置を独立して調整するために、前記複数の調節可能な支持体のそれぞれは、互いに対して調節可能であり、
前記複数の調節可能な支持体のそれぞれは、前記調節可能な支持体に連結された前記光源を、前記ベースに対して移動させるように操作される調節機構を含み、
前記遠隔制御装置は、
ユーザからの入力を受信するユーザインターフェースと、
前記ベースから離れた位置から前記ユーザインターフェースで受信した前記入力に基づいて制御命令を前記コントローラに送信することにより、前記光源の所望の動作を行わせるハウジング送信機と、を含む、
除染装置。
【請求項２】
前記光源により発せられる前記ＵＶＣ光の適切な強度は、前記光源が前記目標物体から１８インチを超える距離で離れている間、前記目標物体の病原菌を１０分未満で減少させるのに不十分なものである、
請求項１に記載の除染装置。
【請求項３】
前記遠隔制御装置の前記ハウジング送信機は前記コントローラと特にペアになって、前記制御命令の効果を前記除染装置に限定する、
請求項１に記載の除染装置。
【請求項４】
前記ベースから独立して位置決めされるモニタリングユニットをさらに含み、
前記モニタリングユニットは、前記光源の動作停止が必要であるとみなされる状態を検出するセンサと、前記コントローラにより受信される中断信号を送信することにより前記光源を動作停止させるように構成されているモニタ送信機とを含む、
請求項３に記載の除染装置。
【請求項５】
前記センサは加速度計および／または運動センサを含む、
請求項４に記載の除染装置。
【請求項６】
前記モニタ送信機は前記除染装置と特にペアになっておらず、前記中断信号を発することにより、前記モニタリングユニットの送信範囲内で少なくとも第２の除染装置に設けられている光源を動作停止させる、
請求項４に記載の除染装置。
【請求項７】
前記モニタ送信機は、約２０Ｈｚ〜約２０ｋＨｚの範囲外の周波数を有する交番信号を発し、
前記コントローラは、前記交番信号を検出するように構成されている聴取デバイスを含む、
請求項６に記載の除染装置。
【請求項８】
ベースと、
各々がＵＶＣ光を適切な強度で発して、前記ＵＶＣ光が当てられた目標物体を少なくとも部分的に除染することにより前記目標物体の病原菌を減少させる複数の光源と、
前記光源を前記ベースに連結する複数の調節可能な支持体であって、前記ベースに対して前記光源の１つの位置を調節するように操作される調節機構を各々が含む支持体と、
前記ベースに連結され、前記光源に動作可能に接続されて前記ＵＶＣ光の放出を制御するコントローラと、
前記ベースに着脱可能に設置され、前記ベースに設置されているときに前記複数の光源を保護するハウジングと、
前記ハウジングに設けられている遠隔制御装置と、を含む除染装置であって、
前記遠隔制御装置は、
ユーザからの入力を受信するユーザインターフェースと、
前記ベースから離れた位置から前記ユーザインターフェースで受信した前記入力に基づいて制御命令を前記コントローラに送信することにより、前記光源の所望の動作を行わせるハウジング送信機と、
前記ベースから独立して位置決めされるモニタリングユニットと、を含み、
前記モニタリングユニットは、前記光源の動作停止が必要であるとみなされる状態を検出するセンサと、前記コントローラにより受信される中断信号を送信することにより前記光源を動作停止させるように構成されているモニタ送信機とを含むとともに、
前記遠隔制御装置の前記ハウジング送信機は前記コントローラと特にペアになって、前記制御命令の効果を前記除染装置に限定し、
前記モニタリングユニットは、前記ハウジングの形状と略同じ形状を有する直立のフォームファクタを含む、
除染装置。
【請求項９】
前記モニタリングユニットは、小型のフォームファクタと、解放可能なファスナ部分とを含み、
前記ファスナ部分は、前記ハウジングの適合する部分と協働して、前記モニタリングユニットを前記ハウジングから着脱可能に連結する、
請求項４に記載の除染装置。
【請求項１０】
前記モニタ送信機は前記除染装置の前記コントローラと特にペアになって、前記中断信号の効果を前記除染装置に限定し、前記モニタリングユニットとペアになっていないが前記モニタ送信機の送信範囲内にある別の除染装置の動作への干渉を回避する、
請求項４に記載の除染装置。
【請求項１１】
前記ハウジングは、前記光源の動作停止が必要であるとみなされる状態を検出するハウジングセンサを含み、
前記ハウジング送信機は、前記コントローラにより受信される中断信号を送信して前記光源を動作停止させるように構成されている、
請求項１に記載の除染装置。
【請求項１２】
前記ハウジングセンサは加速度計および／または運動センサを含む、
請求項１１に記載の除染装置。
【請求項１３】
部屋内の目標物体を除染し、前記部屋の占有者のＵＶＣ光への曝露を最小限にする方法であって、
前記方法は、
前記目標物体から適切な距離をおいて各々がＵＶＣ光を発する複数の光源をベースに対して支持して、発せられた前記ＵＶＣ光で前記目標物体を少なくとも部分的に除染するステップと、
前記光源に動作可能に接続されて前記ＵＶＣ光の放出を制御するコントローラと、前記ベースに設置される着脱式のハウジングに設けられる遠隔制御装置との間に通信チャネルを確立するステップと、
前記コントローラを用いて、前記着脱式のハウジングに設けられている前記遠隔制御装置により、前記ベースに対する前記部屋の外の遠隔位置から送信された制御命令を受信するステップであって、前記制御命令は、前記遠隔制御装置のユーザインターフェースで入力されたユーザ入力を示す、ステップと、
前記制御命令に従って前記光源を起動するステップと、を含み、
前記着脱式のハウジングは、前記ベースに着脱可能に設置されて、前記複数の光源が前記ハウジング内に格納されている間、前記複数の光源を直接の衝撃から保護するように構成されている、
方法。
【請求項１４】
前記光源が動作可能なままである実行時間を設定するステップと、
前記実行時間が終了したことに応答して前記光源を動作停止させるステップとをさらに含む、
請求項１３に記載の方法。
【請求項１５】
前記制御命令に従って前記光源を起動するステップは、
前記光源が前記目標物体から１８インチを超える距離で離れている間、前記光源により発せられる前記ＵＶＣ光の適切な強度を設定するステップを含み、
前記ＵＶＣ光の前記適切な強度は、前記目標物体の病原菌を１０分未満で減少させるのに不十分である、
請求項１３に記載の方法。
【請求項１６】
前記制御命令を受信するステップは、
前記遠隔制御装置からの前記制御命令を示す無線信号を、前記遠隔制御装置を前記コントローラと特にペアにすることにより前記遠隔制御装置と前記コントローラとの間に確立された無線通信チャネルを通じて受信して、前記制御命令の効果を前記遠隔制御装置がペアになっている前記除染装置に限定するステップを含む、
請求項１３に記載の方法。
【請求項１７】
前記ハウジングに設けられているハウジング送信機から送信された、前記光源の動作停止が必要であるとみなされる状態が存在することを示す中断信号を受信するステップと、
前記中断信号を受信するステップに応答して前記光源を動作停止させるステップとをさらに含む、
請求項１３に記載の方法。
【請求項１８】
前記中断信号は、前記ハウジングに設けられているセンサが、前記光源がＵＶＣ光を発している前記部屋に占有者が入っていることを示す動き、および／または前記部屋の外の遠隔位置における前記ハウジングの加速度を感知したことを示す、
請求項１７に記載の方法。
【請求項１９】
前記ベースおよび前記ハウジングから独立して位置決めされるモニタリングユニットとの第２の通信チャネルを確立するステップをさらに含み、
前記コントローラは、占有者が前記部屋内にいることを示す状態を前記モニタリングユニットが感知したことに応答して、前記モニタリングユニットにより送信された中断信号を前記第２の通信チャネルを介して受信する、
請求項１７に記載の方法。
【請求項２０】
前記モニタリングユニットにより送信された前記中断信号は、前記モニタリングユニットに設けられているセンサが、前記光源がＵＶＣ光を発している前記部屋に占有者が入っていることを示す動き、および／または前記ベースに対する遠隔位置における前記モニタリングユニットの加速度を感知したことを示す、
請求項１９に記載の方法。
【発明の詳細な説明】
【技術分野】
【０００１】
本出願は、一般に、密閉空間を除染するための方法および装置、より詳細には、遠隔制御可能な除染装置、および人が除染剤に晒されないようにするために除染装置を遠隔制御する方法に関する。
【背景技術】
【０００２】
従来の除染デバイスは、除染する室内のすべての露出表面に向けて紫外光を広げる紫外光源を含む。そのような装置は、室内の所望の位置に位置決めされ、「オン」ボタンを押して紫外光源をオンにする。遅延回路を除染デバイスに設けて、ボタンを押した後にオペレータが部屋から出るのに十分な時間を与え、オペレータが発せられた紫外光に晒されないようにすることができる。
【発明の概要】
【発明が解決しようとする課題】
【０００３】
追加の予防策として、部屋につながるドアの前に、除染デバイスの作動中には部屋に入らないよう人に指示するサインを配置することができる。さらに、オペレータが部屋から出た後に、遠隔制御装置を使用して部屋の外から除染デバイスを起動することができる。しかしながら、これらの予防策のすべてを使用するには、異なる部屋を除染するために、遠隔制御装置、警告サインなどを位置ごとに別個の物として運搬する必要があり、これはオペレータにとって不便である。さらに、除染デバイスを繰り返し運搬して展開するときに、そのような物の１つまたは複数を損失する可能性がある。
【課題を解決するための手段】
【０００４】
一態様によれば、本出願は、ベースと、各々がＵＶＣ光を適切な強度で発して、ＵＶＣ光が当てられた目標物体を少なくとも部分的に除染することにより目標物体の病原菌を減少させる複数の光源とを含む除染装置に関する。複数の調節可能な支持体が、複数の光源をベースに連結する。複数の光源のそれぞれが、複数の調節可能な支持体のそれぞれの遠位端に旋回可能に連結されている。複数の光源がＵＶＣ光を異なる複数の向きへ照射するように複数の光源の位置を独立して調整するために、複数の調節可能な支持体のそれぞれは、互いに対して調節可能である。複数の調節可能な支持体のそれぞれは、調節可能な支持体に連結された光源を、ベースに対して移動させるように操作される調節機構を含む。ベースに連結されたコントローラが、光源に動作可能に接続されてＵＶＣ光の放出を制御する。ハウジングがベースに着脱可能に設置されて、ベースに設置されているときに複数の光源を保護する。遠隔制御装置がハウジングに設けられる。遠隔制御装置は、ユーザからの入力を受信するユーザインターフェース、およびベースから離れた位置からユーザインターフェースで受信した入力に基づいて制御命令をコントローラに送信することにより光源の所望の動作を行わせるハウジング送信機を含む。
【０００５】
別の態様によれば、本出願は、部屋内の目標物体を除染し、部屋の占有者のＵＶＣ光への曝露を最小限にする方法に関する。方法は、目標物体から適切な距離をおいて各々がＵＶＣ光を発する複数の光源をベースに対して支持して、発せられたＵＶＣ光で目標物体を少なくとも部分的に除染するステップを含む。光源に動作可能に接続されてＵＶＣ光の放出を制御するコントローラと、ベースに設置されるハウジングに設けられる遠隔制御装置との間に通信チャネルが確立される。コントローラは、ハウジングに設けられている遠隔制御装置により、ベースに対する部屋の外の遠隔位置から送信された制御命令を受信する。制御命令は、遠隔制御装置のユーザインターフェースで入力されたユーザ入力を示す。その後、光源は制御命令に従って起動される。
上記のハウジングは、ベースに着脱可能に設置されて、複数の光源がハウジング内に格納されている間、複数の光源を直接の衝撃から保護するように構成されている。
【０００６】
上記の概要は、本明細書に記載のシステムおよび／または方法のいくつかの態様の基本的な理解をもたらすために、簡単な概要を示すものである。この概要は、本明細書に記載のシステムおよび／または方法の広範囲にわたる概略ではない。この概要は、主要／重要な要素を特定すること、またはそのようなシステムおよび／または方法の範囲を定めることを意図したものではない。その唯一の目的は、後述するより詳細な説明の前置きとして、いくつかの概念を簡単な形で示すことである。
【０００７】
本発明は、ある部品の物理的形状および部品の配置を採用することができ、その実施形態について本明細書で詳細に説明し、本明細書の一部をなす添付図面に図示する。
【図面の簡単な説明】
【０００８】
【図１】病室に設置されている除染システムの概略図である。
【図２】図１において矢印２で示される点から見た、ＵＶＣ光の形の除染剤源の底面斜視図であり、除染剤源は関節アームの末端に隣接して設けられている。
【図３】複数の光源が展開状態にあり、ベースの下部キャップが取り外されている、除染装置の斜視図である。
【図４】複数の光源を格納状態に囲んでいるハウジングの配置を示す、除染装置の部分切取図である。
【図５】除染装置の保護ハウジングに着脱可能に連結されているサテライトモニタリングユニットを備えたハウジングの斜視図である。
【図６】ハウジングから分離されている、図５のサテライトモニタリングユニットの斜視図である。
【図７】直立のフォームファクタを有するサテライトモニタリングユニットの代替実施形態の斜視図である。
【図８Ａ】除染装置に設置され、複数の光源を直接的な衝撃から保護するハウジングに設けられた遠隔制御装置の一部を形成するユーザインターフェースの例示的な実施形態を示す図である。
【図８Ｂ】ベースに設けられているコントローラ、ハウジングに設けられている遠隔制御装置、および／またはサテライトモニタリングユニットに設けられているモニタリングシステムのうちの少なくとも１つの動作態様をまとめて形成する電子部品を概略的に示すブロック図である。
【図９】除染装置に設けられている光源の動作停止が必要であるとみなされた状態を検出可能なサテライトモニタリングユニットのユーザインターフェースの例示的な実施形態を示す図である。
【図１０】除染装置のベースにより支持され、複数の光源に動作可能に接続されて除染剤の供給を制御するコントローラの例示的な実施形態を示す図である。
【図１１】遠隔制御装置の代替実施形態の上面図である。
【発明を実施するための形態】
【０００９】
本明細書において、ある用語は単に便宜上使用されるものであり、本発明を限定するものとみなすべきではない。本明細書で使用される関連する言い回しは、図面を参照することにより最もよく理解され、図中、同一の数字を使用して同一または同様の物を特定する。さらに、図中、ある特徴がいくらか概略的な形で示されることがある。
【００１０】
図１は、例えば病室を廊下から隔てるドア６を通して入室可能な病室１の例示的な実施形態を示す。病室１は、患者用ベッド４と、ベッド４に横たわる患者の上方に延びることのできるトレーテーブル５とを備える。図示しないが、病室１は、一般に病室で見られる他の装備品および機能、例えば、テレビ、遠隔制御装置、心拍数モニタなどの健康管理機器、電話、ナイトテーブルなどを含むこともできる。さらに、本開示は、明確かつ簡潔にするために、病室１内の物の除染に焦点を置いているが、本明細書で開示された技術を使用して、ホテルの客室や他の公共施設などの任意の場所にある物体を除染してもよい。
【００１１】
図１に示す病室１内には除染装置１０も配置されており、この除染装置１０は、病室１内のトレーテーブル５などの汚染された表面を少なくとも部分的に除染する、または少なくとも病原菌を減少させるように動作可能である。除染プロセスを手動で開始させても、要求に応じて除染装置１０により実行しても、かつ／または任意選択で、以下で説明する複数のセンサを使用して判定されるように病室１が空いているときに、所定のスケジュールに従って自動で開始させてもよい。
【００１２】
除染装置１０を用いて表面の「病原菌を減少させる」には、必ずしも対象表面を１００％滅菌された、生存可能に繁殖し得るありとあらゆる生物のいない状態にする必要はない。代わりに、病原菌が減少したとみなすためには、繁殖可能な、または他の方法で感染を生じさせ得る、生きている病原体が、除染プロセスの実行前に表面上に存在した病原体よりも低レベルで、除染プロセスの実行後に、除染された表面上に存在しなければならない。例えば、浴室の露出表面は、感染力が残っている、表面上の病原体の少なくとも１ｌｏｇ１０の減少（すなわち、除染プロセスが完了した時点で、露出表面上に最初に存在した生物活性病原体の１０分の１未満が活性であるか感染力を有する）が生じた場合に、病原菌が減少したとみなすことができる。さらに他の実施形態によれば、表面上の病原体が少なくとも３ｌｏｇ１０減少（すなわち、１０００分の１）すると、表面の病原菌が減少したとみなすことができる。
【００１３】
一般に、除染装置１０は、病原菌を減少させるべき表面に除染剤を向ける１つまたは複数の光源１２と、病室１が占有されているか否かを判定する冗長占有者感知システムと、占有者感知システムからの信号に基づいて病室１が占有されている、また占有されるようになる場合に、光源１２による除染剤の放出を妨げるコントローラ１６とを含む。各光源１２は、表面に晒されたときに露出表面の病原菌を減少させる除染剤を発する任意の装置であってよい。本明細書で説明し図示した例示的な実施形態の場合、各光源１２は、ＵＶＣ光を除染剤として発するように通電される紫外光源を含み、病原菌を減少させるべき表面をトレーテーブル５として説明する。
【００１４】
図示したように、各光源１２は、シェード２０の下側に連結された反射面１８に隣接して支持されている、少なくとも１つの、任意選択で複数のＵＶＣ電球１４（図２）を含む。シェード２０および／または光源１２自体を関節アーム２２または他の適切な支持体の遠位端に旋回可能に連結してもよい。これらのアームまたは支持体により、シェード２０およびしたがって電球１４は、矢印２１（図３）で示す方向に回転軸の周りを旋回し、他の方法でトレーテーブル５に対して適切な位置に位置決めされて、起動されると所定期間内に所望レベルの除染を達成する。電球１４は使用可能な電力が限られたものであってよく、かつ／またはコントローラ１６は、光源が目標物体から１８インチを超える距離で離れている間、目標物体５の病原菌を１０分未満で減少させるのに不十分な強度でＵＶＣ光を発するよう電球１４を動作させるように構成されていてもよい。
【００１５】
図１および図３の実施形態によれば、各アーム２２は、ベース部分２５から全体として離れて延びる調節可能な長さを持つ部分を有し、これは、内側部材２６を伸縮式に受ける外側部材２４により、または他の適切な長さ調節機構（例えば、摺動トラックなど）により容易になり得る。ロッキング位置に向かって付勢されるばね付勢ピンなどのロッキング部材２７、内側部材２６と外側部材２４との摩擦嵌めなどを、調節可能な長さ部分の１つまたは複数に設けて、アーム２２の所望の長さを手で設定した後に維持してもよい。任意選択で、ベース２５に対するアーム２２の角度調節を可能にするのに適したヒンジ２８または他のコネクタを、ベース２５とアーム２２との間に配置してもよい。任意選択で、屈曲可能な接合部３０を、シェード２０が支持されるアーム２２の遠位端に隣接する位置など、アーム２２の長さに沿った任意の位置に設けてもよい。接合部３０を塑性変形可能な可撓性材料から形成してもよく、このような材料は、手で屈曲させてシェード２０を位置決めすることができるが、屈曲力が除去された後にアーム２２に対するハウジングの位置を維持するのに十分な剛性を有することができる。さらに、１つまたは複数のヒンジ３２を、任意選択で、接合部３０の前および／または後でアーム２２に沿って位置決めして、シェード２０および電球の位置をさらに調節できるようにし、ＵＶＣ光を用いてトレーテーブル５の所望の対象範囲を達成してもよい。本明細書に記載のヒンジのいずれかに関し、ヒンジ３２は選択的にロック可能であってよい。これは、例えば止めねじなどのロッキング部材を緩めて、ヒンジ３２の両側に連結された構造を互いに対して旋回可能に調節できるようにすることを意味する。所望の調節が完了すると、止めねじまたは他のロッキング部材を締め付けて、構造の互いに対するさらなる旋回調節を妨げることができる。図３に示すような代替実施形態によれば、ヒンジ３２を、任意選択で、押しボタン４０の選択的な作動により調節してもよい。この押しボタン４０は、押されるとヒンジの自由な調節を可能にするが、解放されると調節された部分の相対位置を維持する。
【００１６】
ベース２５は、アーム２２を病室１の床７の上の所望の高さで支持する。ベース２５はコントローラ１６を支持し、このコントローラ１６をユーザが操作して、除染装置１０の動作を制御する（例えば、各光源１２の動作を独立して制御してＵＶＣ光を発し、任意選択で、１つの光源１２を別の１つの光源１２よりも長く通電したままにするか、または複数もしくはすべての光源１２を同様の調和した方法で動作するようまとめて制御する）ことができる。ベース２５は、任意選択で、電球１４に通電しコントローラ１６に電力供給するために使用可能な電気エネルギーを蓄積する、充電式リチウムイオンまたは他の適切なバッテリバンク３７などの内蔵電源を収容する。バッテリバンク３７は比較的重量があるため、バッテリバンク３７をベース２５の下部キャップ３９により画定された凹部内に収容してもよい。下部キャップ３９は、任意選択で、床７の上に置かれた弧状底面４１を含んでよい。または、図４に示すように、下部キャップ３９に沿った他の位置よりも大きい設置面積を有する底面４１を含んでもよい（例えば、底面４１における横方向寸法が、底面４１より垂直上方の別の高さにおける寸法よりも大きい）。弧状底面４１により、必要であれば、除染装置１０を振動させて、除染プロセスのために電球１４を適切に位置決めすることができる。図４に示した、より大きい設置面積の底面４１によって、安定し静止したプラットフォームがベースに設けられる。これにより、複数の、任意選択ですべてのアーム２２が、傾くことなくベース２５から離れて同じ半径方向外方へ完全に延びることができる。任意選択で、ベース２５または除染装置１０の別の部分に、加速度計、傾きセンサ、ジャイロスコープ、または他のタイプのモニタリングデバイスを設けてもよい。これらは、除染装置１０が取り上げられたとき、倒れたとき、動いたとき、または他の方法で妨害されたときを感知することができる。そのような場合、作業中の除染プロセスを終了することができ、新しい除染プロセスの開始を防ぐことができる。図４に示す実施形態の場合、照明バラスト９１がＵＶＣ電球１４を通る電流を調整する。下部キャップ３９をベース２５にねじ接続して着脱可能にし（例えば、下部キャップ３９に損傷を与えることなく繰り返し取り外し、再連結する）、任意選択で交換可能にしてもよい。着脱可能な実施形態の場合、下部キャップ３９をベース２５からねじって外し、バッテリバンク３７、バラスト９１、またはベース２５に設置されたときに下部キャップ３９により隠される他の部品へのアクセスを許可することができる。このようにして、その後、使い切ったバッテリバンク３７を除染装置１０から取り外して、充電済みバッテリバンク３７と交換することができる。バッテリバンク３７が下部キャップ３９に組み込まれた実施形態の場合、使い切ったバッテリバンク３７を含む下部キャップを、充電済みバッテリバンク３７を含む別の下部キャップ３９と完全な形で交換することができる。代替実施形態によれば、除染装置は電源コードを含んでよく、これは電力会社から供給されるＡＣ電源コンセントにプラグ接続して、除染装置１０に電力供給するのに必要な電気エネルギーを得ることができる。
【００１７】
図１に示すように、ベース２５は、任意選択で、全体が逆Ｌ字型に似た形状のフック３５であるコネクタを備えてもよい。フック３５を、例えば、清掃用品を運搬するカートの受け部もしくは他の部分または任意の他の運搬車両に配置して、複数の異なる病室１で使用するために病院全体に除染装置１０を運搬できるようにしてもよい。代替実施形態によれば、図４および図５に示すように、フック３５を、保護ハウジング９５の外周から半径方向外方に離れて延びる閉じたハンドルとして形成してもよい。ヒンジ３２の周りを図４に矢印９７で示す反時計方向に旋回して格納状態（例えば、ベース２５に隣接して縦向き）になった光源１２上に、ハウジング９５を設置することができる。光源１２をヒンジ３２の周りに矢印９７で示す逆の時計方向に旋回させて、展開状態に戻すことができる。
【００１８】
シェード２０および／または反射シールド１８の調節に役立つように、任意選択で、焦点インジケータ４０を反射シールド１８および／またはシェード２０に設けてもよい。図２に示すように焦点インジケータ４０をＵＶＣ電球１４間に位置させることにより、焦点インジケータは、ＵＶＣ電球１４からのＵＶＣ光が集束する方向を表す大まかな方向を特定することができる。焦点インジケータ４０は、ＵＶＣ電球１４からのＵＶＣ光が集まる表面の領域を照明する光を放射可能な発光ダイオード（「ＬＥＤ」）、レーザ光、または他の光学インジケータを含むことができる。そのような領域の例が、図１においてトレーテーブル５上に表示される破線４５によって示される。したがって、ユーザは、基本的に、病原菌を減少させるべき表面にＵＶＣ光を向け、病原菌を減少させると考えられる除染装置が、使用される電球１４の電力の所定期間内にある間に、ＵＶＣ光に適切に晒されるトレーテーブル５の部分を感じ取る。
【００１９】
図４に示すように、除染装置１０は、ベース２５に設置されて、光源１２を周方向に囲んで格納状態にするキャップ、またはハウジング９５を含む。図示した例示的な実施形態によれば、ハウジング９５は、ファスナ端部１００と上部１０２との間に延びて、これらの間に円筒形の内部通路１０４を画定する円筒形シェルとして形成される。電球１４は、内部通路１０４内に格納され、除染装置１０に設置されたハウジング９５によって、外部衝撃からの損傷に対して保護される。ハウジング９５は、ハウジング９５の内面１０６が接触して光源１２に損傷を与える程度まで変形することなく衝撃に耐えるよう十分に耐久性があるプラスチック材料から成形することができる。代替実施形態によれば、ハウジング９５は、スタンピング、ロール成形、溶接、リベット締め、または他の方法で金属材料を所望の円筒形状に固定することにより、金属材料から形成してもよい。任意選択で、通気口１０８をハウジング９５に形成して、電球１４が高温のままである間もハウジング９５をベース２５上に設置できるようにし、その後、本明細書で説明する除染プロセスを実行する。通気口１０８は、内部通路１０４への大きい物体の導入を妨げるような大きさであってよく、任意選択で、光源１２が格納状態にあるときに、ヒンジ３２またはガラスのＵＶＣ電球１４ほど脆くない他の物体の高さに対応する高さに形成されてもよい。
【００２０】
ハウジング９５のファスナ端部１００は、任意選択で、例えば下部キャップ３９またはベース２５の他の部分に設けられている内ねじ山１１２と協働する外ねじ山１１０を含んでよい。ハウジング９５を、例えば上部１０２の上から見たときに時計方向に回転させることにより、ハウジング９５のねじ山１１０を下部キャップ３９のねじ山１１２に係合させると、ハウジング９５がベース２５に連結される。この連結は、ハンドル３５により把持したときに除染装置１０を全体として持ち上げて運搬することができるような十分な保持力を持つ。また、任意選択で、ハンドル３５をハウジング９５の長手方向軸に沿った平衡位置に位置決めして、ハンドル３５による運搬中に除染装置１０を略水平に（例えば、水平から±１５°）にできるようにしてもよい。
【００２１】
ハウジング９５に設けられている外ねじ山１１０を、下部キャップ３９に設けられている内ねじ山１１２と嵌合するものとして説明したが、ハウジング９５を除染装置にしっかりと設置するための固着システムは、そのように限定されない。ハウジング９５をベース２５に着脱可能に設置する（例えば、固着システムを動作不能にすることなく、または他の方法で固着システムに損傷を与えることなく繰り返しベース２５に連結し、ベース２５から解放し、ベース２５に再連結する）ことのできる任意の調節可能な固着システムおよび／またはデバイスを使用してもよい。例えば、解放可能なラッチ、ねじ付機械ファスナなどを、本明細書で詳細に説明したねじ山の代わりに使用してもよい。
【００２２】
ベース２５に設けられているコントローラ１６（図３）、ハウジング９５に連結された（または、ハウジング９５の一部として一体形成され着脱不可能な）遠隔制御装置１３０（図８Ａ）、およびサテライトモニタリングユニット１１４（図５〜図９）のモニタリングシステムは各々、図８Ｂのブロック図に概略的に示す動作部品の少なくとも一部を含むことができる。感知システム１４０は、光源１２の動作停止が必要であるとみなされる状態を感知するよう各々動作可能な単一のセンサまたは複数のセンサを含み、そのような状態を感知したことに応答して中断信号を送信する。任意選択で、感知システム１４０は、上記センサに加えて、またはその代わりに加速度計を含んでもよい。この加速度計は、コントローラ１６、ハウジング９５、および／またはモニタリングユニット１１４の加速度の変化を感知して、それらのデバイスに対する乱れ（例えば、ハウジング９５がぶつかった、押しのけられた、取り上げられたなど。これは、以下で説明するように、誰かがドア６の外に位置決めされたハウジング９５の周りを歩いて病室１に入ろうとしていることを示す）を検出する。コントローラ１６、ハウジング９５、および／またはモニタリングユニット１１４に設けられている感知システム１４０により感知される状態は同じでも異なっていてもよい。しかしながら、感知される各々の状態は、一般に、光源１２がＵＶＣ光を発している病室１（図１）に入ろうとしていること、および／または光源１２がＵＶＣ光を発している間、病室内に占有者が存在することを示すことができる。
【００２３】
中断信号が通信バス１４８を介してプロセッサ部品１４６に伝えられて解釈されるため、プロセッサ部品１４６は、感知された状態、および状態を感知した感知システム１４０の部分を判定することができる。プロセッサ部品１４６は通信バス１４８を介して信号を送信して、感知システム１４０により感知された状態をユーザインターフェース１４４に適切に標示させる。標示は可視標示（例えば、ＬＥＤの点灯）、可聴標示（例えば、スピーカにより流れるアラーム）、またはこれらの組合せであってよい。状態を検出する感知システム１４０の位置に応じて、任意選択で、少なくとも送信機および／または受信機を含むトランシーバ１４２が無線信号（例えば、ブルートゥース（登録商標）、ＩＥＥＥ８０２．１１、他の短距離通信プロトコルなど）を送信し、これを光源１２に動作可能に接続されたコントローラ１６が受信してＵＶＣ光の放出を制御する。次いで、コントローラ１６は光源１２を停止状態にする。
【００２４】
次に、上で大まかに説明した動作部品について、コントローラ１６、ハウジング９５、およびサテライトモニタリングユニット１１４に関して詳細に説明する。
【００２５】
ハウジング遠隔制御
ハウジング９５がベース２５に設置されると、ハウジング９５の上部１０２はアーム２２上に延び、光源１２は格納状態にある。遠隔制御装置１３０の一部として含まれる１つおよび任意選択で複数のセンサ１０５が、上部１０２に隣接して配置される。各センサ１０５は、ハウジング９５上に配置され、ファスナ端部１１０が床に置かれた状態でハウジング９５が直立しているときに、ハウジング９５の外周から半径方向に離れて延びる領域をモニタすることを目的としている。センサ１０５は、光源１２の動作停止が必要であるとみなされる状態を感知し、そのような状態を感知したことに応答して中断信号を送信してコントローラ１６にそのような状態を通知することにより、光源１２を動作停止させるように動作可能である。センサ１０５の例として、限定されないが、センサ１０５に対する物体（例えば、ドア６の外面）の近接の変化、センサ１０５の前（例えば、センサ１０５とドア６の外面との間）にいる人または他の生物の動きなどを感知する動作感知装置が挙げられる。センサ１０５は、光源１２がＵＶＣ光を発している病室１への入室を示す状態を検出する任意の適切な技術、例えば、光（例えば、赤外線）信号、マイクロ波信号、および／または音響（例えば、無線周波数）信号を使用して、ドア６の動きまたはドア６とセンサ１０５との間における物体の存在を感知する。ハウジング９５の感知システム１４０は、任意選択で、センサ１０５に加えて、またはその代わりに、ハウジング９５の加速度の変化（例えば、ハウジング９５がぶつかった、押しのけられた、取り上げられたなど）を感知する加速度計を含んでもよい。
【００２６】
ハウジング９５の実施形態は、単一のセンサ１０５（または同じ目標領域に焦点を合わせる複数の共通の目的のセンサ１０５）を含んで、ハウジング９５を一方向モニタリングシステムにし、センサ１０５から半径方向外方に離れて延びる単一の領域をモニタする。ハウジング９５のそのような実施形態は、以下で詳細に説明する除染プロセス中に光源１２がＵＶＣ光を発する病室１につながるドア６の前および外に配置することができる。唯一のセンサ１０５を直接ドア６に向けてドア６が開くのを感知することができるが、歩行者がドア６を通り過ぎるがドア６の前に配置されたハウジング９５の後方で廊下を歩くなどの他の動きを感知しない。以下で詳細に説明するように、ハウジング９５に設けられているトランシーバシステム１４２の送信機部分は中断信号を送信することができ、この信号をコントローラ１６に設けられている受信機が受信して、光源１２を停止状態にする。
【００２７】
ハウジングの遠隔制御装置１３０に設けられているユーザインターフェース１３４の例示的な実施形態は、図８Ａにおける上部１０２に支持される。図示したように、ユーザインターフェース１３４は、センサ１０５によりモニタされる領域の方向を特定する基準点１３６を含む。図８Ａにおける三角形の基準点１３６の頂点は、モニタされる領域の方向を指す。ユーザ命令を受けて除染プロセスを開始する開始ボタン１３８が設けられ、この除染プロセス中に電球１４に通電する。開始ボタン１３８が押されたことに応答して、遠隔制御装置１３０のトランシーバ部分に設けられている送信機が除染プロセスを開始するよう命令を送信し、この命令をコントローラ１６のトランシーバ部分に設けられている受信機が受信する。この命令を受信したことに応答して、コントローラ１６は光源１２を起動し、電球１４はＵＶＣ光を発する。
【００２８】
状況部分は複数の可視インジケータ１５０を含み、これらのインジケータ１５０を選択的に起動して、除染プロセスの進行に関する状況更新を行うことができる。これらのインジケータは、除染装置が除染プロセスを行う準備ができたとき、除染プロセスが進行中であるとき、予定されていない中断なく除染プロセスが完了まで進んだときにオペレータに通知することができる。センサ１０５が所定の状態（例えば、ドア６の動き）を感知した結果として、除染プロセスが予想外に早期に中断した場合、動作インジケータ１５０が点灯する。除染プロセスを早期に終了させた不具合がハウジング９５に設けられているセンサ１０５以外のセンサにより感知された場合、「不良」インジケータを点灯させることができ、除染プロセスを早期に終了させた問題が他の場所で生じたことをオペレータに警告する。
【００２９】
ユーザインターフェース１３４はまた、ハウジング９５に設けられている遠隔制御装置１３０をオン／オフするように選択可能な電源ボタン１５２と、ハウジング９５の遠隔制御装置１３０を病室１内のベース２５に設けられているコントローラ１６と特にペアにするように選択可能な接続ボタン１５４とを含む。バッテリインジケータ１５６が、電気エネルギーを供給して遠隔制御装置１３０に電力供給するバッテリ１５８の残りの寿命を標示し、ネットワークインジケータ１６０が、遠隔制御装置１３０がコントローラ１６と特にペアになっているかどうかを示す。
【００３０】
遠隔制御装置１３０（または他のデバイス）をコントローラ１６と特にペアにすることは、遠隔制御装置１３０（または他のデバイス）のトランシーバ部品により送信される信号の効果がそのコントローラ１６に限定されることを意味する。言い換えると、遠隔制御装置１３０が遠隔制御装置１３０と特にペアになっているコントローラ１６に送信する信号により、コントローラ１６は送信された信号と一致する動作を行う。しかしながら、遠隔制御装置１３０とペアになっていない別の異なるコントローラが遠隔制御装置１３０の範囲内にあっても、その異なるコントローラは遠隔制御装置１３０が送信した信号に応答しない。したがって、異なるコントローラとペアになった多くの遠隔制御装置を、予期せぬ干渉なしで互いに近接して使用することができる。
【００３１】
代替実施形態によれば、任意選択で、細長い円筒形ハウジング９５を除染装置１０から省いてもよい。そのような実施形態の場合、図３に示すように、光源１２は格納位置に調節することができるが、運搬中、露出されたままである。ハウジング９５が省かれているため、遠隔制御装置１３０も省かれ、機能が別個の独立型遠隔制御装置２３０（図１１）に置き換えられる。この遠隔制御装置２３０は、図５および図６に関して以下で説明するモニタリングユニット１１４と同じまたは同様のフォームファクタを有する。そのような遠隔制御装置２３０の上面図が図１１に示される。図示したように、遠隔制御装置２３０は、前述した遠隔制御装置１３０のユーザインターフェース１３４に設けられている同じ制御機能、および任意選択で前述した同じセンサ１２２も含む。
【００３２】
遠隔制御装置２３０はまた、ユーザの手で保持するのに十分に小型であるため、遠隔制御装置２３０のハウジングから離れて突出するハンガ２３５を含んで、遠隔制御装置２３０を病室１内の物体に掛ける、または他の方法で物体上に支持することができる。材料の可撓性ループとして図示されているが、ハンガ２３５をフック、単一のストラップとして形成してもよく、または、例えば図１に示すようにドアハンドル８に掛けるのに適した任意の他の形状に構成してもよい。図１１に示すように、遠隔制御装置２３０は、任意選択のセンサ１２２の代わりに、またはこれに加えて加速度計２３７も含む。ドアハンドル８に吊り下げられると、遠隔制御装置２３０は、ドア６が開くか、または他の方法により妨害されるまで静止したままである。そのような妨害によって遠隔制御装置２３０が動きやすく、これを加速度計２３７および／またはセンサ１２２が検出する。したがって、除染装置１０の動作中に病室１の内部に入ろうとしていることを検出することができ、除染プロセスが中断される。
【００３３】
サテライトモニタリングユニット
図５に示すように、ハウジングの上部１０２は、サテライトモニタリングユニット１１４を着脱可能に支持する。このサテライトモニタリングユニット１１４は、光源１２の動作停止が必要であるとみなされる状態を感知し、そのような状態を感知したことに応答して中断信号を送信してコントローラ１６にそのような状態を通知することにより、光源１２を動作停止させるように動作可能である。再び、モニタリングユニット１１４に与えられる支持体の着脱可能な性質により、ハウジング９５またはモニタリングユニット１１４に損傷を与えることなく、モニタリングユニット１１４をハウジング９５から繰り返し取り外し、次いでハウジング９５に再連結することができる。したがって、モニタリングユニット１１４をハウジング９５上で運搬できなくなる、モニタリングユニット１１４とハウジング９５との協働を妨げる程度の損傷を回避することができる。モニタリングユニット１１４を上部１０２から取り外すために、オペレータは、図５および図６に示す１つまたは複数の解放レバー１１６を手で押してまたは引いて、モニタリングユニット１１４および／またはハウジング９５に設けられている協働する機械ファスナを分離させることにより、モニタリングユニット１１４をハウジング９５から持ち上げることができる。
【００３４】
図５および図６に示すモニタリングユニット１１４の実施形態において、モニタリングユニット１１４は薄型であり、モニタリングユニット１１４がハウジング９５の上に置かれたキャップを形成する外観を生み出す。図６におけるハウジングから取り外されたモニタリングユニット１１４の底部１２０は、ゴムまたは他の振動吸収材料から形成された、底面１２０から下方に突出する複数の足部１１８を含む。足部１１８および／または上部１０２から上方に延びる任意選択のボスは、ハウジング９５および／またはモニタリングユニット１１４のそれぞれに形成された適合する開口部１２６と協働して、それらの部品が共に連結されたときに部品の相対的な安定性を高めることができる。
【００３５】
直立のフォームファクタを有するモニタリングユニット１１４の代替実施形態が図７に示される。本実施形態によれば、モニタリングユニットは、ハウジング９５の形状および寸法と略等しい形状および寸法を有する円筒形ハウジング１３２を含む。円筒形ハウジング１３２は、任意選択で、ハウジング９５の内寸よりもわずかに大きい内寸を有する内部通路を画定することができ、モニタリングユニット１１４の円筒形ハウジング１３２を除染装置のハウジング９５上に配置することができる。しかしながら、図５および図６に示すモニタリングユニット１１４の実施形態とは異なり、円筒形ハウジング１３２は床に置くことができ、以下で説明するセンサ１２２などのセンサを床より上方の高さ（例えば、少なくとも１８インチまたは少なくとも２４インチなど）で支持することができる。しかしながら、簡潔にするために、図５および図６に示すモニタリングユニット１１４の実施形態を参照しながら、センサ１２２およびモニタリングユニット１１４の動作について説明する。
【００３６】
モニタリングユニット１１４に設けられている感知システム１４０の一部を形成する１つまたは複数のセンサ１２２を、モニタリングユニット１１４の外周１２４の一部の周りに配置して、モニタリングユニット１１４から半径方向外方に延びる１つまたは複数方向（任意選択で、モニタリングユニット１１４の周りの３６０°）の状態をモニタすることができる。１つまたは複数のセンサ１２２の例として、限定されないが、光（例えば、赤外線）信号、マイクロ波信号、または音響（例えば、無線周波数）信号のうちの１つまたは複数を使用して病室１内の動きを感知する運動センサが挙げられる。モニタリングユニット１１４の感知システム１４０は、任意選択で、センサ１２２に加えて、またはその代わりに、モニタリングユニット１１４の加速度の変化（例えば、モニタリングユニット１１４がぶつかった、押しのけられた、取り上げられたなど）を感知する加速度計を含んでもよい。したがって、モニタリングユニット１１４により感知される状態の例として、限定されないが、光源１２がＵＶＣ光を発している室内における人の占有者の存在、モニタリングユニット１１４自体の乱れ（例えば、モニタリングユニット１１４が揺れた、または倒された、物体がモニタリングユニット１１４上に落下したなど）が挙げられる。
【００３７】
ハウジング９５に設けられている遠隔制御装置１３０と同様に、モニタリングユニット１１４のトランシーバ１４２は、感知された状態を示す信号をコントローラ１６に送信することにより、電球１４を動作停止させる送信機を含む。一実施形態によれば、モニタユニット１１４は、任意選択で、除染装置１０のベース２５に設けられているコントローラ１６と特にペアになっていなくてもよい。代わりに、モニタリングユニット１１４のトランシーバ１４２に設けられている送信機は、任意選択で、光源１２を動作停止させる中断信号を発することができる。この信号は、モニタリングユニット１１４の送信範囲内でベースに設けられているありとあらゆるコントローラによって受信される。そのような実施形態の場合、モニタユニット１１４の送信機は、約２０Ｈｚ〜約２０ｋＨｚの範囲外の周波数を有する交番信号を発する。なお、約２０Ｈｚ〜約２０ｋＨｚの範囲の周波数は、人の耳で知覚可能である。コントローラ１６は、この交番信号を中断信号として聴き取り、検出するように構成されている受信機を含む。したがって、１つのモニタリングユニット１１４により、複数の異なるベースに設けられている電球１４を動作停止させることができる。しかしながら、代替実施形態によれば、モニタリングユニット１１４を、任意選択で、ベース２５に設けられているコントローラ１６と特にペアにして、中断信号の効果をその特定のベース２５に限定してもよい。
【００３８】
モニタリングユニット１１４はまた、ユーザ入力を受信して、除染プロセスの状況および／またはモニタリングユニット１１４の状態についての情報を伝えるユーザインターフェース１６２を含む。例えば、ユーザインターフェースは、モニタリングユニット１１４の１つまたは複数のセンサ１２２が、除染プロセスを早期に終了させた動きを検出したことを示す可視インジケータ１６４（例えば、ＬＥＤ）を含む。ユーザインターフェース１６２はまた、モニタリングユニット１１４をオン／オフするように選択可能な電源ボタン１６６と、モニタリングユニット１１４を病室１内のベース２５に設けられているコントローラ１６と特にペアにするように選択可能な接続ボタン１６８とを含む。バッテリインジケータ１７０が、電気エネルギーを供給してモニタリングユニット１１４に電力供給するバッテリ１７２の残りの寿命を標示し、ネットワークインジケータ１７４が、遠隔制御装置１３０がコントローラ１６と特にペアになっているかどうかを示す。
【００３９】
ベースコントローラ
ベース（図３）に設けられているコントローラ１６は、光源１２に動作可能に接続されて、コントローラ１６のトランシーバ１４２により受信された信号に応答して、電球１４によるＵＶＣ光の放出を制御する。コントローラ１６のユーザインターフェース１８０（図１０）は複数の可視インジケータ１８２を有する状況部分を含み、これらのインジケータ１８２を各々選択的に起動して、除染プロセスの進行に関する状況更新を行うことができる。これらのインジケータは、除染装置１０が除染プロセスを行う準備ができたとき、除染プロセスが進行中であるとき、予定されていない中断なく除染プロセスが完了まで進んだときにオペレータに通知することができる。参照によりその全体が本明細書に組み込まれているＤａｙｔｏｎの米国特許出願第１４／５３０，５１０号に記載されているように、ベース２５に設けられているセンサが所定の状態（例えば、病室１内の動き）を感知した結果として、除染プロセスが予想外に早期に中断した場合、動作インジケータ１８２が点灯する。除染プロセスを早期に終了させた不具合がベース２５に設けられているセンサ以外のセンサにより感知された場合、「プロセス不良」インジケータ１８２を点灯させることができ、除染プロセスを早期に終了させた問題が他の場所で生じたことをオペレータに警告する。
【００４０】
実行時間選択ボタン１８４は、除染プロセスの所望の実行時間を設定するためにオペレータが選択可能であり、この実行時間中、光源１２は作動中のままであり、電球１４はＵＶＣ光を発する。実行時間選択ボタン１８４を押すごとに、次の使用可能な予めプログラムされた実行時間の選択肢に移る。図１０に示す実施形態によれば、４つの使用可能な実行時間の選択肢、すなわち９０秒、１８０秒、３００秒、および６００秒がある。
【００４１】
ユーザインターフェース１８０はまた、コントローラ１６と特にペアになっている遠隔デバイスを制御するように動作可能な接続部分１８６を含む。ＬＥＤなどの可視インジケータ１９２をコントローラ１６のプロセッサ１４６により点灯させて、ペア要求を送信した遠隔デバイスを特定することができる。遠隔デバイスがインジケータの１つを起動することにより特定されると、無視ボタン１８８を選択して、その遠隔デバイスからのペア要求を無視することができる。接続が望ましい場合、接続ボタン１９０を選択して無線通信チャネルを確立することができ、この無線通信チャネルを通じて、ペアになった遠隔デバイスが中断信号を送信し、この信号をコントローラ１６が受信して光源１２を停止状態にする。
【００４２】
ユーザインターフェース１８０はまた、予期しない、または望ましくない動作状態となった１つまたは複数の電球１４を特定するインジケータ１９４（例えば、ＬＥＤ）を含む。例えば、電球Ａが遠隔制御装置１３０からの命令に応答して起動されず除染プロセスを開始しない場合、電球Ａに対応するインジケータ１９４を点灯させて電球Ａが適切に機能しなかったことをオペレータに通知し、交換を要求することができる。電球１４を独立して制御し、異なる時間および異なる期間で動作させることができるため、電球Ａは、例えば電球Ｂより前の推奨される有用寿命を超えることがある。この場合も、電球Ａに対応するインジケータ１９４を点灯させて、この状態をオペレータに警告する。１つまたは複数のインジケータ１９４を起動させる状態に対処すると、リセットボタン１９６を作動させてクリアランスコマンドをコントローラ１６のプロセッサ１４６に入力することにより、エラーをクリアしてそれぞれの電球１４の状況をリセットすることができる。
【００４３】
使用時に、オペレータは、ハンドル３５により除染装置１０を運ぶことによって、除染装置１０を、病原菌を減少させるべき１つまたは複数の目標面を有する所望の位置に運搬することができる。ベース２５を目標面に隣接して配置し、ハウジング９５を取り外すことにより、ユーザに光源１２およびコントローラ１６へのアクセスを許可する。アーム２２を調節して光源１２、特に電球１４を目標面から所定の有効距離内で位置決めすることにより、所定の実行時間内で所望のレベルの病原菌の減少を達成する。その後、ベース２５をＡＣ電源コンセントにプラグ接続するか、またはバッテリにより動作する実施形態の場合には他の方法でオンにして、コントローラ１６に通電する。
【００４４】
ハウジング９５の遠隔制御装置１３０（図８Ａ）を、任意選択で、製造時にコントローラ１６とペアにしてもよい。しかしながら、コントローラ１６がリセットされたか、または他の方法で、コントローラ１６が収容されたカバー９５の遠隔制御装置１３０と特にペアになっていない場合、遠隔制御装置１３０のユーザインターフェース１３４を使用して除染プロセスを起動可能にする前に、遠隔制御装置１３０をコントローラ１６と特にペアにする。遠隔制御装置１３０とコントローラ１６との通信チャネルを確立するために、電源ボタン１５２を選択することによって遠隔制御装置１３０をオンにし、遠隔制御装置の接続ボタン１５４を選択することによってペアリングプロセスが開始される。これに応じて、遠隔制御装置１３０の送信機はペア要求を送信し、これをコントローラ１６が受信して認識することにより、「カバー」インジケータ１９２を点滅させるか、または他の方法でハウジング９５の遠隔制御装置１３０がペアになっていることを示す。この通信チャネルを確立することが望ましいため、コントローラ１６のユーザインターフェース１８０に含まれる接続ボタン１９０（図１０）を押して、遠隔制御装置１３０をコントローラ１６とペアにする。その後、カバーインジケータ１９２を常に点灯するか、またはカバーインジケータ１９２を他の方法で使用して、ペアリングが成功したことを示す。同様に、遠隔制御装置のユーザインターフェース１３４のネットワークインジケータ１６０（図８Ａ）を点灯して、ペアリングが成功したことを示す。
【００４５】
同様に、サテライトモニタリングユニット１１４を使用する場合、これを同様の方法でコントローラ１６とペアにすることができる。電源ボタン１６６（図９）を押すことによりモニタリングユニット１１４に電力供給することができ、その後、接続ボタン１６８を押してペアリングプロセスを開始し、モニタリングユニット１１４とコントローラ１６との無線通信チャネルを確立することができる。モニタリングユニット１１４のトランシーバ１４２は、ペアにする要求を送信し、この送信をコントローラ１６が受けて認識することにより、「ｓａｔ１」インジケータ１９２を点滅させるか、または他の方法でモニタリングユニット１１４がペアになっていることを示す。この通信チャネルを確立することが望ましいため、コントローラ１６のユーザインターフェース１８０に含まれる接続ボタン１９０（図１０）を押して、モニタリングユニット１１４をコントローラ１６とペアにする。次いで、ｓａｔ１インジケータ１９２を常に点灯するか、または他の方法で使用して、ペアリングが成功したことを示す。同様に、モニタリングユニットのユーザインターフェース１６２のネットワークインジケータ１７４（図９）を点灯して、ペアリングが成功したことを示す。任意選択で、第２のまたは追加のモニタリングユニットをペアにして、除染サイクル中に使用してもよい。
【００４６】
ペアリングが完了した状態で、無線通信チャネルを確立するために、モニタリングユニット１１４を、モニタリングユニット１１４およびコントローラ１６の有効通信範囲内の任意の位置に配置することができる。この位置は、ベース２５が位置する病室１の中または外である。例えば、モニタリングユニット１１４を病室１内で、病室１につながる二次ドアの前の約５フィートの位置に配置してもよい。そのような位置で、モニタリングユニット１１４のセンサ１２２は二次ドアの状態をモニタして、ＵＶＣ光の放出中にドアが開いたかどうかを感知することができる。
【００４７】
ハウジング９５は、ベース２５が位置する病室１につながる一次ドア６のすぐ外（例えば、１２インチ以内）に配置される。ハウジング９５は、基準点１３６（図８Ａ）がドア６の外面を指している状態でドア６の外に位置決めされ、センサ１０５（図５）を確実に配置して、ドア６が閉状態から調節されたとき、または人がセンサ１０５とドア６との間の空間に入ったときを検出するが、センサ１０５が焦点を合わせる領域の外で生じる動きまたは他の状態は感知しないようにする。したがって、ドア６の外の廊下は使用可能なままであるが、センサ１０５は、電球１４がＵＶＣ光を発している間に確実に誰も病室１に入らないようにする。
【００４８】
モニタリングユニット１１４およびハウジング９５が適切に位置決めされると、オペレータは、コントローラ１６の実行時間選択ボタン（図１０）を適切な回数だけ押して除染プロセスの所望の実行時間を選択することにより、所望の実行時間を選択する。所望の実行時間が入力された後、オペレータは病室１から出て、遠隔制御装置１３０のユーザインターフェース１３４に設けられている開始ボタン１３８（図８Ａ）を押すことにより、遠隔制御装置１３０のトランシーバ１４２が除染プロセスを所望の実行時間の間、開始するよう命令を送信する。遠隔制御装置１３０により送信された信号を受信したことに応答してコントローラ１６が光源１２を起動することにより、電球１４がＵＶＣ光を発する。
【００４９】
除染プロセス全体を通じて、モニタリングユニット１１４のセンサ１２２およびハウジング９５のセンサ１０５は、それぞれの関心領域を連続してモニタする。モニタリングユニットのセンサ１２２もハウジングのセンサ１０５も除染プロセスの早期の終了が必要であるとみなされる状態を検出しない場合、プロセスは全実行時間について作動中のままであり、ハウジング９５のユーザインターフェース１３４の完了インジケータ１５０（図８Ａ）およびコントローラ１６のプロセス完了インジケータ１８２（図１０）は、除染プロセスが中断されず、成功して完了したことを示す。
【００５０】
しかしながら、モニタリングユニット１１４および／またはハウジング９５および／またはコントローラ１６に設けられているセンサが除染プロセスの中断を必要とする状態の１つを感知した場合、それぞれのトランシーバ１４２が中断信号を送信し、この信号をコントローラのトランシーバ１４２に設けられている受信機が受信する。これに応じて、コントローラ１６は、電球１４を動作停止させてＵＶＣ光の放出を中止することにより除染プロセスを終了させる。コントローラ１６のトランシーバ１４２は通知信号を送信することにより、モニタリングユニット１１４および／または遠隔制御装置１３０のユーザインターフェースに設けられている適切な可視インジケータを起動して、除染プロセスの早期の終了と不具合の位置とをオペレータに警告する。
【００５１】
例示的な実施形態について上述した。上記デバイスおよび方法は、本発明の一般的な範囲から逸脱することなく変更および修正を組み込んでもよいことが当業者に明らかであろう。そのような修正および改変のすべてが本発明の範囲内に含まれるものである。さらに、「含む（ｉｎｃｌｕｄｅ）」という用語は、詳細な説明または特許請求の範囲で使用される限り、「含む（ｃｏｍｐｒｉｓｉｎｇ）」という用語が特許請求の範囲において転換語として使用されるときに解釈されるように、「含む（ｃｏｍｐｒｉｓｉｎｇ）」と同様に包括的であることが意図される。
【図１】
0006664418.tif 000002
【図２】
0006664418.tif 000003
【図３】
0006664418.tif 000004
【図４】
0006664418.tif 000005
【図５】
0006664418.tif 000006
【図６】
0006664418.tif 000007
【図７】
0006664418.tif 000008
【図８Ａ】
0006664418.tif 000009
【図８Ｂ】
0006664418.tif 000010
【図９】
0006664418.tif 000011
【図１０】
0006664418.tif 000012
【図１１】
0006664418.tif 000013